Podtech/llm-jp-corpus-v4-ja_patent huggingface dataset:
(57)【要約】【課題】  本発明は分割記録をした出力物を貼りあわせる場合に、必要以上の断裁作業や、貼り合わせ部分の隙間をなくすことを課題する。【解決手段】  画像の重なりの無い貼りあわせを行う場合、予め余白を断裁することなく、１回の断裁で重なりの無い貼りあわせを実現するための位置合わせの印104と断裁位置の印103を記録することを解決手段する。【選択図】  図１
2007130931.tif 000002
【特許請求の範囲】
【請求項１】
複数の出力物を分割して記録し、貼り合せて成果物として作成する印刷記録システムにおいて、分割記録した各出力物に貼り合わせ時に必要な位置合わせのマークを記録することを特徴とした印刷記録システム。
【請求項２】
貼り合わせの前に不要部分の切断作業を必要としない位置に、位置合わせのマークを記録することを特徴とした請求項１における印刷記録システム。
【請求項３】
貼り合わせ後、重なり部分を１回の切断で重なりの無い貼り合わせ成果物を作成する為の切り取りラインを記録することを特徴とした請求項１における印刷記録システム。
【発明の詳細な説明】
【技術分野】
【０００１】
本発明は印刷記録システムに関するものであり、とくに複数枚に分けて印刷する分割印刷で出力する際に記録する、トンボの位置制御に関する。
【背景技術】
【０００２】
インクジェット記録ヘッドをシリアルスキャンさせて画像記録を行う画像記録装置のうち、出力画像をつなぎ合わせて、画像記録装置に搭載してある用紙のサイズより大きな出力画像を形成するために用紙をつなぎ合わせて印字を行う、「分割印刷」や「タイリング」と呼ばれている画像形成方法が知られている。
【０００３】
このような記録装置で、例えばA1サイズ4枚にそれぞれ“A”の一部を印字してつなぎ合わせたものが図２である。同図ではブルーの背景に白抜きで“A”を描かせている。このように複数枚の用紙をつなぎ合わせて大面積の画像を得る手法をタイリングと呼び、近年、大判インクジェット記録装置の画像形成システムの機能として採用されている。
【０００４】
この分割印字における仕上げ時の「用紙の断裁の目安」「用紙の貼りあわせの目安」として余白部分にマークを記録している。しかし従来の「用紙の断裁の目安」「用紙の貼りあわせの目安」のマークだと、貼り合わせがうまくいかなかったり、仕上がりに隙間が出来てしまったりしていた。この事を解消するために、特開2002-321422は、余白が無い印刷物を作成することを特徴としている記録装置ならびに記録方法をとっている。しかし、余白の無い記録装置は、従来の記録装置と機構に違いがあり、従来の記録装置はでは対応が出来ない事がわかっている。
【特許文献１】特開２００２―３２１４２２号公報
【発明の開示】
【発明が解決しようとする課題】
【０００５】
本発明においては、従来の記録装置を使い「用紙の断裁の目安」「用紙の貼りあわせの目安」を適切なものとして前述した不具合を解決するものである。
【０００６】
従来の上記の方法ではマークの位置を任意に指定することによって、重ね合わせ代を設定出来るものの、実際に貼り合わせる作業を行う場合、一旦不要な余白を切り落とした後、位置合わせのマークに沿って重ね合わせる必要があった。また、建材の壁紙のように重ね合わせ代の無い貼りあわせる方法を行うためには、画像領域の重ね分をなくして記録する必要があり、この場合、余白の断裁の方法や貼り合わせ方によっては、画像のつなぎ合わせ部に隙間が開いてしまったりしていた。
【０００７】
図３は従来の出力物で、出力物301を出力物302の上に貼り合わせる場合を示している。2つの出力物301,302を貼り合わせると、欠けた円308,309が1つの円となる。この状態から貼りあわせ作業は行えず、図４に示すように重ね合わせる側の余白を切り取る必要がある。
【０００８】
次に図４は出力物401の右余白を切り取った状態を示す。この状態で出力物402との貼りあわせ作業を行う。このとき出力物401の紙端が位置合わせマーク404と一致するところで貼りあわせ、出力物401,402の残り3辺は不要であれば、切り落とし、ポスタの貼りあわせ完了となる。
【０００９】
このように貼りあわせる前に一旦余白を削除するという手間が必要であった。
【００１０】
また、切り取り位置の303、304の位置を、変えることにより、重ね合わせが無い貼り方を行う事が出来るが、余白の断裁の方法や貼り合わせ方によっては、画像のつなぎ合わせ部に隙間が開たりしてしまう場合がある。
【課題を解決するための手段】
【００１１】
この問題に対処するためには、実際の貼りあわせ作業の方法で必要なマーク「用紙の断裁の目安」「用紙の貼りあわせの目安」を記録することで、貼りあわせる前に一旦余白を削除するという手間するという手間を省くだけでなく、重ね合わせの無い綺麗で、隙間の無いポスタを作成することである。
【発明の効果】
【００１２】
以上説明したように、本発明によれば「用紙の断裁の目安」「用紙の貼りあわせの目安」のマークを記録することで、貼り合せ作業に入る前の余白を切り落とすという作業を不要とするだけでなく、つなぎ目の重ね合わせのない成果物を作成することが可能となる。
【発明を実施するための最良の形態】
【００１３】
以下、図面を参照して本発明の実施の形態（実施例）について説明する。
【００１４】
（実施の形態）
図１は本発明に係る好適な実施の形態における記録内容を示す、出力物の例である。
【００１５】
出力物101を出力物102の上に貼り合わせる場合を示している。2つの出力物101,102を貼り合わせると、画像領域105,107上に描画されている、欠けた円108,109が1つの円となる。また106は重ね合わさるエリアであるが実際は出力物には記録はされない。
【００１６】
この状態より、出力物の右端部110を位置あわせのマーク104の位置に一致させるように貼りあわせる。この時、画像領域107の左端位置111とカットライン103の位置も一致するような位置にマーク104とカットライン103が配置されている。
【００１７】
この状態で重ね合わせエリア106内において、出力物101と出力物102を2枚同時にカットすることにより、つなぎ目に重ねあわせのないポスタの作成が完了する。
【００１８】
本実施例では、横方向２枚の貼り合わせでの例を上げたが、３枚目以降も同様に、また縦方向においても、同様なマークを記録する事で実施可能なことは明らかである。
【００１９】
インクジェット用紙を貼り合わせる場合、つなぎ目の糊は、印刷面を汚さないためにも、貼り合わせ部分周辺の糊はカット後糊を塗布するほうが好ましい。
【図面の簡単な説明】
【００２０】
【図１】本発明実施例１での配置図
【図２】分割記録の説明
【図３】従来の配置図
【図４】余白を切り取った状態
【符号の説明】
【００２１】
１０１  出力物（貼り合わせ時上）
１０２  出力物（貼り合わせ時下）
１０３  カットライン
１０４  貼り合わせマーク
１０５  画像領域
１０６  重ね合わせエリア
１０７  画像領域
１０８  画像
１０９  画像
１１０  用紙右端
１１１  画像領域左端
【図１】
2007130931.tif 000003
【図２】
2007130931.tif 000004
【図３】
2007130931.tif 000005
【図４】
2007130931.tif 000006
(57)【要約】【課題】  大きい用紙長設定と実際に印刷データの存在する部分だけページ送りを行う用紙節約設定を併用するプログラムから印刷する場合、ジョブのキャンセル時に無駄な紙送りを行う可能性を軽減する。【解決手段】  プリンタに保存されているジョブ履歴の情報を参照することにより、キャンセルされたジョブが用紙節約有効の設定が行われているか推測を行う。【選択図】  図１
2007130935.tif 000002
【特許請求の範囲】
【請求項１】
過去に印刷したジョブの情報を保存するジョブ履歴保存手段とを備えるプリンタにおいて、
大きい用紙長設定と、実際に印刷データの存在する部分だけページ送りを行う用紙節約設定とを行う印刷プログラムからの印刷ジョブのキャンセル処理において、排紙のための用紙送りの長さをプリンタに保存されているジョブ履歴を参照して行うことを特徴とする印刷ジョブキャンセル制御方法。
【請求項２】
請求項１の方法を備えるプリンタ。
【発明の詳細な説明】
【技術分野】
【０００１】
本発明は、プリンタにおけるジョブキャンセルの制御方法、および、上記方法を備えるプリンタにかかわるものである。
【背景技術】
【０００２】
大判プリンタに印刷する場合、印刷プログラムの中には、大きい用紙長設定（例. 18m）と実際に印刷データの存在する部分だけページ送りを行う用紙節約設定を併用することにより、任意長のイメージデータの印刷を行うものが存在する。操作者は、一般的に印刷プログラムによる印刷コマンドの使い方までは知らず、また、印刷プログラムによる印刷コマンドの使い方を変更することは出来ないため、印刷プログラムをそのままで使用しなければならない。上記印刷プログラムの印刷ジョブを印刷データ受信時にキャンセルする場合、用紙長設定コマンドを受信して用紙節約設定コマンド（用紙節約は有効設定）を受信していない状態が発生する場合がある。この場合、プリンタは、排紙のために印刷ジョブの用紙長設定にしたがって長いページ長分用紙送りをしてしまう。
【０００３】
本発明ではジョブ履歴を利用するが、ジョブ履歴を利用する例としては、たとえば「特開２００４−２９９２０４」において消耗品を効率的に利用するためにジョブ履歴を参照している。
【特許文献１】特開２００４−２９９２０４号公報
【発明の開示】
【発明が解決しようとする課題】
【０００４】
本発明は、上記背景技術で述べたように用紙長設定コマンドを受信して用紙節約設定コマンドを受信していない状態でジョブキャンセルが行われた場合に、無駄な用紙送りを行わないようにプリンタの制御を行うことを目的とする。
【課題を解決するための手段】
【０００５】
本発明では、プリンタに保存されているジョブ履歴の情報を参照することにより、キャンセルされたジョブが用紙節約有効の設定が行われているか推測を行う。
【発明の効果】
【０００６】
本発明により、操作者の使用する印刷プログラムが、大きい用紙長設定と実際に印刷データの存在する部分だけページ送りを行う用紙節約設定（節約有効の場合）とを併用して行うものであったとしても、ジョブキャンセル時に無駄な用紙送りを行わない可能性を高めることができる。
【発明を実施するための最良の形態】
【０００７】
図1は、本発明のシステム構成を示している。
【０００８】
コンピュータ100は、セントロやネットワークなどの通信手段110によりインクジェットプリンタ120と接続されている。コンピュータ100には、大きい用紙長設定と、実際に印刷データの存在する部分だけページ送りを行う用紙節約設定とを行う印刷プログラム101が存在する。印刷プログラム101は印刷を行う際、印刷ジョブ102を作成する。
【０００９】
プリンタ120には、実際の印刷を行う印刷手段124と用紙送りを行う用紙送り手段123と過去の印刷情報を保存するジョブ履歴122とジョブ履歴の管理を行うジョブ履歴管理手段121とが存在する。
【００１０】
プリンタ120には、画像処理など他の機能を果たす手段が存在するが、本発明では本質的でない部分であるため、ここでは記述していない。
【００１１】
図２は、印刷プログラムによる印刷コマンド設定の効果を示す図である。本例では、200はロール紙、201がイメージデータを示す。図2の左の図は、印刷ジョブの設定が、長い用紙長、かつ用紙節約設定=無効の場合の印刷結果である。プリンタは実際のイメージデータの長さに関係なく設定された用紙長で改ページのためのフィードを行う。図2の右の図は、印刷ジョブの設定が、長い用紙長、かつ用紙節約設定=有効の場合の印刷結果である。プリンタは実際のイメージデータの長さに下端マージンを加えた長さだけ改ページのためのフィードを行うため、用紙に無駄が生じない。
【００１２】
図３は、ジョブ履歴の例を示す。
【００１３】
本実施例では、ジョブ履歴にジョブ名、ユーザー、および、用紙節約設定（有効、または無効）情報が保存されている。
【００１４】
図４は、本実施例におけるキャンセル処理を示すフローチャートである。
【００１５】
プリンタ120は印刷ジョブのキャンセルを行う際、印刷ジョブの設定をチェックする(S410)。用紙節約設定が行われている場合には(S420: Yes)その設定にしたがって印刷を行う(S430)。用紙節約設定が行われていない場合には(S420: No)、プリンタ120はプリンタに保存されている印刷ジョブ履歴をチェックし、同じユーザーの印刷ジョブで用紙節約=有効の設定が行われているものがあるかチェックする (S440)。これは、同じユーザーは同じプログラムを使用して印刷する可能性が高いためである。用紙節約=有効の設定が行われているジョブが存在する場合には(S450: Yes)、プリンタはキャンセル対象のジョブも用紙節約=有効の設定が行われている可能性があると判断して印刷ジョブのページ長設定を無視して、最低限度の下端マージン分の用紙送りを行う(S460)。
【００１６】
用紙節約=有効の設定が行われているジョブがひとつも存在しない場合には(S450: No)、プリンタはキャンセル対象のジョブも用紙節約=有効の設定が行われてない可能性が高いと判断して印刷ジョブのページ長設定分の用紙送りを行う(S470)。
【産業上の利用可能性】
【００１７】
本発明は、大きい用紙長設定と、実際に印刷データの存在する部分だけページ送りを行う用紙節約設定とを行う印刷プログラムと、ジョブ履歴を保存するプリンタとからなるシステムにおいて利用可能である。
【図面の簡単な説明】
【００１８】
【図１】本発明の実施例1におけるシステム構成。
【図２】実施例1における印刷プログラムによる印刷コマンド設定の効果の概要を示す図。
【図３】実施例1におけるジョブ履歴の例。
【図４】実施例1におけるキャンセル処理を示すフローチャート。
【符号の説明】
【００１９】
100  コンピュータ
101  印刷プログラム
102  印刷ジョブ
110  通信手段
120  プリンタ
121  ジョブ履歴管理手段
122  ジョブ履歴
123  用紙送り手段
124  印刷手段
200  ロール紙
201  イメージデータ
300  ジョブ履歴の例
【図１】
2007130935.tif 000003
【図２】
2007130935.tif 000004
【図３】
2007130935.tif 000005
【図４】
2007130935.tif 000006
(57)【要約】【課題】  拭きとり布袋を湿りスポンジに摩擦する湿式黒板拭きと清掃加湿器を提供する。【解決手段】  少し湿り気のある拭きとり布袋にスポンジ板を中に入れることを特徴とする湿式黒板拭きと清掃加湿用の湿りスポンジを台板の切り欠け部にはめて固定することを特徴とする清掃加湿器。【選択図】図１
2007130987.tif 000002
【特許請求の範囲】
【請求項１】
スポンジ板（１）の中に掴み板（２）を取り付け、拭きとり布袋（３）を被せた両面使用の湿式黒板拭き。
【請求項２】
湿りスポンジ（４）を切り欠き部（５）にはめ込み、押さえ把手（６）を設けた清掃加湿器。
【発明の詳細な説明】
【技術分野】
【０００１】  本発明は、白墨を使用する黒板のダストを拭きとる湿式黒板拭きとその清掃加湿器である。
【背景技術】
【０００２】  従来の黒板拭きは、乾いた状態で黒板を拭き、ダストのついた黒板拭きを叩いたりする作業があった。
【発明の開示】
【発明が解決しようとする課題】
【０００３】  そのために、次のような問題点があった。
（イ）乾いた黒板拭きで黒板を拭くとき、ダストが拭き残り、黒板の下に落下する恐れがあった。
（ロ）ダストのついた黒板拭きを叩くか、布で拭きとるとき、ダストが空気中に飛散して、物に付着したり、人が吸い込む恐れがあった。
（ハ）黒板拭きは、片面使用で非能率であった。
本発明は、これらの問題点を解決するためになされたものである。
【問題を解決するための手段】
【０００４】    スポンジ板（１）の中に掴み板（２）を設け、拭きとり布袋（３）を被せた湿式黒板拭きと、湿りスポンジ（４）を切り欠き部（５）にはめて固定し、押さえ把手（６）を取り付けることを特徴とする清掃加湿器。
【発明の効果】
【０００５】    本発明は、以上のような構成で黒板のダストを飛散することなく拭きとり、拭きとり布袋（３）と清掃加湿器の湿りスポンジ（４）が、ダストで甚だしく汚れた場合は、水洗いして下水に流すため、ダストの飛散もなく、きわめて衛生的な黒板拭きである。
【発明を実施するための最良の形態】
【０００６】  以下、本発明の実施の形態について説明する。
（イ）湿式黒板拭きのスポンジ板（１）は、弾力性があり、掴み板（２）は、スポンジ板（１）の縮み代の１センチメートル幅が小さく手で持ちやすくできている。
（ロ）拭きとり布袋（３）は、ビロードのものが良く、ダストで汚れたとき、簡単に取り替えられる。
（ハ）清掃加湿器は、湿りスポンジ（４）が切り欠き部（５）に弾力ではめ込み固定される。
（ニ）清掃加湿器の湿りスポンジは、水を含ませて手で固く絞るとき、含水率約  ７５〜８５パーセントとなり、拭きとり布袋（３〉を摩擦するとき、清掃と加湿が良好に行われる。
（ホ）清掃加湿器には、器体台板（７）に、押さえ把手（６）が取り付けてある。
本発明は、以上のような構成でこれを使用するときは、スポンジ板（１）に拭きとり布袋（３）を被せる。
清掃加湿器は、湿りスポンジ（４）に水を含ませ、手で固く絞るとき、含水率約  ７５〜８５パーセントなり清掃加湿に適正となる。
拭きとり布袋（３）を新しく使用するときも、黒板を拭いてダストが付着したときも拭きとり布袋（３）を清掃加湿器の湿りスポンジ（４）に当て、１．２回摩擦すると、拭きとり布袋（３）は、少し湿り、清掃されて黒板を良好に拭くことができ、ダストの飛散はない。
湿式黒板拭きを使い、清掃加湿器で繰り返しダストを拭きとるとき、拭きとり布袋（３）は、約１０回でダストの汚れが残る、そのときは、拭きとり布袋（３）を簡単に被せ替え、１日使用した拭きとり布袋（３）清掃加湿器の湿りスポンジ（４）とともに水洗いをし、絞って自然乾燥させて翌日使用する。
このとき、ダストは、空気中に飛散することなく、下水処理されるため、きわめて衛生的である。
【図面の簡単な説明】
【０００７】
【図１】  湿式黒板拭き側面図
【図２】  スポンジ板  斜視図
【図３】  清掃加湿器斜視図
【図４】  湿りスポンジ取り付け側面図
【符号の説明】
【０００８】      １  スポンジ板
２  掴み板
３  拭きとり布袋
４  湿りスポンジ
５  切り欠き部
６  押さえ把手
７  台板
【図１】
2007130987.tif 000003
【図２】
2007130987.tif 000004
【図３】
2007130987.tif 000005
【図４】
2007130987.tif 000006
(57)【要約】      （修正有）【課題】下敷を使用時に下敷を忘れていたり、紛失していたり、さがし回ったりする事を予防する。【解決手段】下敷を、出し入れする本体の表紙部や裏表紙部に、形成する。【選択図】図７
2007130986.tif 000002
【特許請求の範囲】
【請求項１】
領収証、納品書、請求書などやノートなどの表紙部や裏表紙部などに下敷を形成した固定下敷。
【請求項２】
固定下敷と本体の境界部に切り込みやミシン目などを入れ弾力帯を施した請求項１の固定下敷。
【請求項３】
固定下敷の材質がビニール状などの弾性体である請求項１の固定下敷。
【請求項４】
固定下敷につまみ部を施した請求項１の固定下敷。
【請求項５】
固定下敷が栞をも形成している請求項１の固定下敷。
【発明の詳細な説明】
【発明の詳細な説明】
【０００１】［産業上の利用分野］
本案は領収証、納品書、請求書などやノート（１３）などでの下敷の使用時に下敷を探したり紛失していたりする事を予防し、それら何の心配もなく容易に使用する事が出来る下敷である。
【０００２】［従来の技術］
従来の下敷は領収証や納品書、請求書、ノート（１３）などに使用する場合、他から単独の下敷を持って来るか、もともと本体（１）に取り付けてある剥離用下敷（５）を剥離用ミシン目（４）から切り取って使用するかの何れかである。
【発明が解決しようとする課題】
【０００３】  上述の欠点を解決する為に領収証や納品書、請求書などやノート（１３）などに下敷を本体（１）に形成して、使用時に下敷をいちいち持参したり、剥離用ミシン目（４）で切り取って本体（１）から離し使用する必要のない下敷を課題とするものである。
【課題を解決するための手段】
【０００４】  領収証や納品書、請求書、ノート（１３）などの本体（１）と下敷とがお互いに分離した状態で使用するのではなく、お互いに結合し合っていれば良く、そのためには、下敷がそれぞれの本体（１）に固定していれば良い。領収証や納品書、請求書などの場合はそれぞれ裏表紙部（３）に、ノート（１３）などの場合、その表紙部（２）や裏表紙部（３）に下敷を固定すれば良い。
【０００５】［作用］
上記のように領収証や納品書、請求書、ノート（１３）などのそれぞれの固定下敷（６）は、それぞれの本体（１）に固定しているために、従来のように下敷と本体（１）とが分離していれば、使用時にしばしば、下敷を探したり、紛失していたりするが、固定下敷（６）は使用時には常に本体（１）と一体であるために、下敷を探したり、紛失していたりするような事はない。
【実施例】
【０００６】  本発明を実施するにあたり、領収証や納品書、請求書などの場合は裏表紙部（３）に固定下敷（６）を施せば良く、ノート（１３）などの場合はそれぞれ１枚のページの表裏両面に固定下敷（６）を使用するので本体（１）の固定下敷（６）は表紙部（２）と裏表紙部（３）とに於いてそれぞれ施しておけば良い。固定下敷（６）と本体（１）との境界部には切り込み（７）や切り込み状ミシン目（８）を施して帯状の弾力帯を形成したり固定下敷（６）をビニール状などの弾力性のあるビニール状固定下敷（９）に形成しても良い。固定下敷（６）の縁部に本体（１）から出し入れしやすいようにつまみ部（１０）を施しても良い。
ノート（１３）などに形成した固定下敷（６）の面にはあいうえおの５０音、漢字の書き順やローマ字の書き順などの文字、世界地図や万国旗や色見本などの図、九九の一覧表などの数式、地図の記号、更に詩歌、童謡などを掲載すれば園児、児童などの学習時の資料として参考にする事が出来る。ビニール状固定下敷（９）が柔軟性に富んでいれば切り込み（９）や切り込み状ミシン目（８）は不要である。
【発明の効果】
【０００７】  本発明は以上のような構成をしている為に、使用時に於いては、固定下敷（６）が表紙部（２）や裏表紙部（３）に固定していて本体（１）から下敷を剥離する必要がないので、固定した下敷（６）をそのまま必要ページへ挿入すればよく従来のように探したり、紛失していたりするような事はない。特に園児や児童の場合はしばしば下敷を忘れたり探したり紛失していたりするので、これらの予防になる。
つまみ部（１０）によって固定下敷（６）は本体（１）へ挿入しやすかったり引き出しやすかったりする事が出来る。
栞（１１）は固定下敷（６）を代用する事が出来、栞（１１）に栞用ミシン目（１２）を施せば栞（１１）を複数枚にして使用する事が出来る。
栞（１１）は何回使用しても千切れる事がないように、形状をピラミッド状にして本体（１）との付け根部を広く施したものである。
表紙部（２）や裏表紙部（３）が薄い場合、固定下敷（６）を折り曲げて二重にしたり、セルロイド状体のものを貼り合わせて厚くしても良い。又、固定下敷（６）は本体（１）のどの縁部にも形成して使用する事が出来る。
図（２）、図（３）、図（４）、図（５）、図（６）のように固定下敷（６）と本体（１）の境目に切り込み（７）や切り込み状ミシン目（８）などを施し弾力帯を形成したり、固定下敷（６）部そのものをビニール状の弾力体にする事によって使用時に固定下敷（６）が曲がったりくねったりする事にも対応出来るので固定下敷（６）に裂け目や破れ目がはしったり、固定下敷（６）が千切れたりする事故を予防する事が出来る。
上記以外、特に視覚障害児（大人も含む）の場合、１度本体（１）から離れた下敷をたとえ近距離ではあっても次に使用する場合に下敷を手に取るのにスムーズにいかない場合がしばしばである。
下敷が本体（１）に固定していれば固定下敷（６）を何回使用しても固定下敷（６）を探す手間もその心配もなく、いつでも安心して固定下敷（６）を使用する事が出来る。
【図面の簡単な説明】
【図１】従来の剥離用下敷を施した本体の剥離用下敷の実施例斜面図。
【図２】本体の裏表紙部に固定下敷を施した本体の実施例斜面図。
【図３】下敷につまみ部をも形成している本案固定下敷の実施例斜面図。
【図４】下敷につまみ部をも形成している本案固定下敷の実施例斜面図。
【図５】下敷につまみ部をも形成している本案固定下敷の実施例斜面図。
【図６】本体の裏表紙部に下敷とそのつまみ部と栞部をも形成している本案固定下敷の実施例斜面図。栞部が本体に隠れている本体部との境界部分は図２の固定下敷の同じ部分と相似である。
【図７】本体の表紙部と裏表紙部とに下敷とそのつまみ部をも形成している本案固定下敷の実施例斜面図。
【符号の説明】
１    本体
２    表紙部
３    裏表紙部
４    剥離用ミシン目
５    剥離用下敷
６    固定下敷
７    切り込み
８    切り込み状ミシン目
９    ビニール状固定下敷
１０  つまみ部
１１  栞
１２  栞用ミシン目
１３  ノート
【図１】
2007130986.tif 000003
【図２】
2007130986.tif 000004
【図３】
2007130986.tif 000005
【図４】
2007130986.tif 000006
【図５】
2007130986.tif 000007
【図６】
2007130986.tif 000008
【図７】
2007130986.tif 000009